(57)【特許請求の範囲】
【請求項１】
緩衝材を介して製品を収納する梱包用箱であって、
前記製品を収納する可撓性の包装袋を設ける一方、前記緩衝材は、弾力性を有する１枚のシート体であり、水平状の中央部の長さ方向の両側に、下向き折り曲げ脚部と上向き折り曲げ脚部とがそれぞれ形成してあり、折り曲げ前の下向き折り曲げ脚部に前記包装袋の両端をそれぞれ固定して、下向き折り曲げ脚部を下向きに折り曲げることで、包装袋を長さ方向に引っ張った状態で、包装袋に収納した製品を中央部の上面に位置させるようになっていて、緩衝材を梱包用箱内に嵌め込んだ時に、下向き折り曲げ脚部の下端部を梱包用箱内の下隅部付近にそれぞれ位置させるとともに、上向き折り曲げ脚部の上端部を梱包用箱内の上隅部付近にそれぞれ位置させるようにしたことを特徴とする梱包用箱。
【請求項２】
前記緩衝材の下向き折り曲げ脚部は、中央部の幅方向の中間部に形成し、上向き折り曲げ脚部は、中央部の幅方向の両側部に形成したことを特徴とする請求項１に記載の梱包用箱。
【請求項３】
前記包装袋は、長さ方向の一辺のみが開口していることを特徴とする請求項１または２に記載の梱包用箱。
【請求項４】
前記包装袋の両端にフック穴を形成するとともに、前記緩衝材の下向き折り曲げ脚部に、包装袋のフック穴を係止固定するフック部を形成したことを特徴とする請求項１〜３のいずれか一項に記載の梱包用箱。
【請求項５】
前記緩衝材の中央部に、撓み用切り込み部を形成したことを特徴とする請求項１〜４のいずれか一項に記載の梱包用箱。
【請求項６】
前記緩衝材の中央部の幅方向の両端部に凹凸部を形成したことを特徴とする請求項１〜５のいずれか一項に記載の梱包用箱。
【発明の詳細な説明】
【技術分野】
【０００１】
本発明は、衝撃が製品に伝わりにくい梱包用箱に関する。
【背景技術】
【０００２】
従来、緩衝材を介して製品を収納する梱包用箱がある。すなわち、製品が精密機器、例えば電子複写機のスキャナー等である場合、落下の衝撃等を受けにくくするために、緩衝材を介して梱包用箱に収納するのである。
【０００３】
緩衝材としては、例えば気泡性緩衝材（通称、エアーキャップシート）があり、気泡性緩衝材で製品を包んで梱包用箱に収納する。また、発泡スチロール成形品があり、製品の両側部に発泡スチロール成形品を嵌め込んで梱包用箱に収納する。
【０００４】
これらの緩衝材は、不使用時には嵩張るとともに、破棄後の処理（焼却や埋め立て）が環境に影響を与えるという問題がある。
【０００５】
そこで、不使用時には嵩張らず、破棄後の焼却等の処理が環境に影響を与えないようにするために、緩衝材としての内板に製品を帯材で十字状に縛り付け、この内板から真上に第１高さ調整板を立ち上げるとともに、真下に第２高さ調整板を立ち下げて、第１高さ調整板と第２高さ調整板とを梱包用箱の四周の内面に当てがいながら内板を梱包用箱内に嵌め込むことにより、落下の衝撃等が受けにくくなるようにした梱包用箱が提案されている（特許文献１参照）。
【特許文献１】特開２００４−２８４６５８号公報
【発明の開示】
【発明が解決しようとする課題】
【０００６】
しかしながら、特許文献１の梱包用箱では、内板から真上と真下に高さ調整板を立ち上げ・立ち下げているだけであるから、高さ調整板自体に弾力性が乏しいので、梱包用箱に落下等の衝撃が作用した時、梱包用箱からの衝撃が製品に伝わりやすいという問題があった。
【０００７】
本発明は、前記問題を解消するためになされたもので、梱包用箱からの衝撃が製品に伝わりにくく、不使用時には嵩張らず、破棄後の焼却等の処理が環境に影響を与えない梱包用箱を提供することを目的とするものである。
【課題を解決するための手段】
【０００８】
前記課題を解決するために、本発明は、緩衝材を介して製品を収納する梱包用箱であって、前記製品を収納する可撓性の包装袋を設ける一方、前記緩衝材は、弾力性を有する１枚のシート体であり、水平状の中央部の長さ方向の両側に、下向き折り曲げ脚部と上向き折り曲げ脚部とがそれぞれ形成してあり、折り曲げ前の下向き折り曲げ脚部に前記包装袋の両端をそれぞれ固定して、下向き折り曲げ脚部を下向きに折り曲げることで、包装袋を長さ方向に引っ張った状態で、包装袋に収納した製品を中央部の上面に位置させるようになっていて、緩衝材を梱包用箱内に嵌め込んだ時に、下向き折り曲げ脚部の下端部を梱包用箱内の下隅部付近にそれぞれ位置させるとともに、上向き折り曲げ脚部の上端部を梱包用箱内の上隅部付近にそれぞれ位置させるようにしたことを特徴とする梱包用箱を提供するものである。
【０００９】
請求項２のように、前記緩衝材の下向き折り曲げ脚部は、中央部の幅方向の中間部に形成し、上向き折り曲げ脚部は、中央部の幅方向の両側部に形成した構成とすることが好ましい。
【００１０】
請求項３のように、前記包装袋は、長さ方向の一辺のみが開口している構成とすることが好ましい。
【００１１】
請求項４のように、前記包装袋の両端にフック穴を形成するとともに、前記緩衝材の下向き折り曲げ脚部に、包装袋のフック穴を係止固定するフック部を形成した構成とすることが好ましい。
【００１２】
請求項５のように、前記緩衝材の中央部に、撓み用切り込み部を形成した構成とすることが好ましい。
【００１３】
請求項６のように、前記緩衝材の中央部の幅方向の両端部に凹凸部を形成した構成とすることが好ましい。
【発明の効果】
【００１４】
本発明によれば、緩衝材の折り曲げ前の下向き折り曲げ脚部に、製品を収納した包装袋の両端をそれぞれ固定して、下向き折り曲げ脚部を下向きに折り曲げると、包装袋が長さ方向に引っ張られた状態で、包装袋に収納した製品が緩衝材の中央部の上面に位置するようになる。この状態で、緩衝材を梱包用箱内に嵌め込んで、下向き折り曲げ脚部の下端部を梱包用箱内の下隅部付近にそれぞれ位置させるとともに、上向き折り曲げ脚部の上端部を梱包用箱内の上隅部付近にそれぞれ位置させると、緩衝材の下向き折り曲げ脚部と上向き折り曲げ脚部とが梱包用箱内の上下４隅で突っ張るようになって、包装袋に収納された製品が緩衝材の中央部の付近で保持されるようになる。
【００１５】
このとき、緩衝材は弾力性を有するから、梱包用箱に落下等の衝撃が作用しても、下向き折り曲げ脚部と上向き折り曲げ脚部の弾力および中央部の弾力で、梱包用箱からの衝撃が製品に伝わりにくくなる。また、下向き折り曲げ脚部で、可撓性の包装袋を長さ方向に引っ張って固定しているので、この点からも、下向き折り曲げ脚部、上向き折り曲げ脚部および中央部からの衝撃も製品に伝わりにくくなる。
【００１６】
さらに、緩衝材は、使用時に１枚のシートを折り曲げることで構成でき、別に包装袋を設けるだけであるので、構造が簡単でコスト安であり、不使用時には偏平に折り畳んでおけるので、嵩張らないとともに、緩衝材を段ボールシート等で作ることができるので、破棄後の焼却等の処理が環境に影響を与えることもない。さらにまた、製品は、包装袋に収納しているので、ホコリ等が付着するおそれがない。
【００１７】
請求項２によれば、下向き折り曲げ脚部を中央部の幅方向の中間部に形成することで、製品を中央部の幅方向の中間部に位置させることができるとともに、上向き折り曲げ脚部を中央部の幅方向の両側部に形成することで、緩衝材を梱包用箱内の４隅で均等に突っ張って、製品を中央部の付近で保持できるようになる。
【００１８】
請求項３によれば、折り曲げ前の下向き折り曲げ脚部に、製品を収納した包装袋の両端をそれぞれ固定して、下向き折り曲げ脚部を下向きに折り曲げると、包装袋が長さ方向に引っ張られることで、下向き折り曲げ脚部の折り曲げ縁に包装袋が強く押し付けられるようになる。したがって、一辺の開口から製品を収納した包装袋は、開口側が折り曲げ縁に強く押し付けられて自然に密封されるので、予め密封する必要がなくなる。また、緩衝材を梱包用箱から取り出して下向き折り曲げ脚部から包装袋を取り外すと、開口側の密封が自然に解除されるので、包装袋から製品をスムーズに取り出すことができる。
【００１９】
請求項４によれば、包装袋の両端のフック穴を緩衝材の下向き折り曲げ脚部のフック部に係止するだけで、包装袋の両端を下向き折り曲げ脚部に固定できるので、固定作業が簡単になる。
【００２０】
請求項５によれば、緩衝材の中央部が撓み用切り込み部によって弾力が増すので、中央部からの衝撃が製品により伝わりにくくなる。
【００２１】
請求項６によれば、梱包用箱に幅方向の衝撃が作用しても、緩衝材の中央部の凹凸部が梱包用箱の内面に衝突して潰れることで衝撃が弱まるので、梱包用箱からの幅方向の衝撃が製品に伝わりにくくなる。
【発明を実施するための最良の形態】
【００２２】
以下、本発明を実施するための最良の形態について、図面を参照しながら詳細に説明する。
【００２３】
図４に示すように、直方体形状の梱包用箱１は、例えば段ボール箱であって、上部開口１ａを蓋（フラップ）１ｂで閉じるようになっている。
【００２４】
図１および図２（ａ）に示すように、可撓性の包装袋３が設けられ、包装袋３は例えばポリエチレン袋であって（紙袋でも可）、幅方向Ｗの両側部３ａが封止されて鞘状に形成されているとともに、長さ方向Ｌの一端側に開口３ｂが形成され、他端側は例えば熱シール部３ｃで封止されている。包装袋３の両端部には幅方向Ｗに長いフック穴３ｄがそれぞれ形成されている。包装袋３内には、開口３ｂから製品２を収納する。製品２は、例えば電子複写機のスキャナー等であり、直方体形状に描いている。
【００２５】
図１および図２（ｂ）に示すように、梱包用箱１に製品２を収納するときに用いられる緩衝材４は、弾力性を有する長方形状の１枚のシート体、例えば段ボールシート（プラスチックシートでも可）である。
【００２６】
緩衝材４の長さ方向Ｌの中央部４ａは略正方形状に形成され、中央部４ａの長さ方向Ｌの両側には、山折り線ａで斜め下向きに折り曲げ（水平面に対して２０〜７０度程度）可能な斜め下向き折り曲げ脚部４ｂと、谷折り線ｂで斜め上向きに折り曲げ（水平面に対して２０〜７０度程度）可能な斜め上向き折り曲げ脚部４ｃとがそれぞれ形成されている。なお、下向き折り曲げ脚部４ｂと上向き折り曲げ脚部４ｃとは、それぞれ斜めに折り曲げているが、真下及び真上に直角に折り曲げることもできる。
【００２７】
緩衝材４の中央部４ａには、四角形状の穴４ｄが明けられて、穴４ｄの４隅には、対角方向に延在する撓み用切り込み部４ｅがそれぞれ形成されている。また、中央部４ａの幅方向Ｗの両端部には、長さ方向Ｌに延在する凹凸部４ｆがそれぞれ形成されている。
【００２８】
緩衝材４の斜め上向き折り曲げ脚部４ｃの谷折り線ｂは、幅方向Ｗの全体に形成されるとともに、斜め下向き折り曲げ脚部４ｂの山折り線ａは、斜め上向き折り曲げ脚部４ｃの谷折り線ｂよりも長さ方向Ｌの外方で、かつ斜め上向き折り曲げ脚部４ｃの幅方向Ｗの両側のスリット４ｇの間に形成されている。
【００２９】
したがって、斜め下向き折り曲げ脚部４ｂは、中央部４ａの幅方向Ｗの中間部に形成され、斜め上向き折り曲げ脚部４ｃは、中央部４ａの幅方向Ｗの両側部に形成されるようになる。
【００３０】
斜め下向き折り曲げ脚部４ｂの外方の端部には、包装袋３のフック穴３ｄの幅方向Ｗの長さよりも僅かに狭い幅を有して、フック穴３ｄを差し込んで係止固定可能なフック部４ｈがそれぞれ形成されている。
【００３１】
包装袋３のフック穴３ｄの間隔長さＳは、緩衝材４の斜め上向き折り曲げ脚部４ｃを斜め下向き折り曲げ脚部４ｂとともに斜め上向きに折り曲げた状態で、包装袋３を長さ方向Ｌに弛ませながらフック穴３ｄを斜め下向き折り曲げ脚部４ｂのフック部４ｈに係止固定した後に、図３（ａ）のように、斜め下向き折り曲げ脚部４ｂを斜め下向きに折り曲げたときに、フック部４ｈの間で包装袋３が長さ方向Ｌに引っ張られる（展張される）ようになるように設定されている。
【００３２】
前記のように梱包用箱１を構成すれば、製品２を開口３ｂから包装袋３内に収納する一方、緩衝材４の斜め上向き折り曲げ脚部４ｃを斜め下向き折り曲げ脚部４ｂとともに斜め上向きに折り曲げた状態で、包装袋３を長さ方向Ｌに弛ませながらフック穴３ｄを斜め下向き折り曲げ脚部４ｂのフック部４ｈに係止固定して、その後に、図３（ａ）のように、斜め下向き折り曲げ脚部４ｂを斜め下向きに折り曲げる。これにより、緩衝材４の斜め下向き折り曲げ脚部４ｂのフック部４ｈの間で包装袋３が長さ方向Ｌに引っ張られる（展張される）ようになる。このとき、包装袋３に収納した製品２が緩衝材４の中央部４ａの上面に位置するようになる。
【００３３】
この状態で、図４（ｂ）のように、緩衝材４を梱包用箱１内に嵌め込んで、斜め下向き折り曲げ脚部４ｂの下端部を梱包用箱１内の下隅部１ｃ付近にそれぞれ位置させるとともに、斜め上向き折り曲げ脚部４ｃの上端部を梱包用箱１内の上隅部１ｄ付近にそれぞれ位置させると、緩衝材４の斜め下向き折り曲げ脚部４ｂと斜め上向き折り曲げ脚部４ｃとが梱包用箱１内の上下４隅で突っ張るようになって、包装袋３に収納された製品２が緩衝材４の中央部４ａの付近で保持されるようになる。なお、製品２が軽量品であれば、緩衝材４を９０度の横向き状態で梱包用箱１内に嵌め込んで、斜め下向き折り曲げ脚部４ｂの下端部を梱包用箱１内の一側の側面隅部付近にそれぞれ位置させるとともに、斜め上向き折り曲げ脚部４ｃの上端部を梱包用箱１内の他側の側面隅部付近にそれぞれ位置させることもできる。
【００３４】
このとき、緩衝材４は弾力性を有するから、梱包用箱１に落下等の衝撃が作用しても、斜め下向き折り曲げ脚部４ｂと斜め上向き折り曲げ脚部４ｃの弾力および中央部４ａの弾力で、梱包用箱１からの衝撃が製品２に伝わりにくくなる。また、斜め下向き折り曲げ脚部４ｂで、可撓性の包装袋３を長さ方向Ｌに引っ張って固定しているので、この点からも、斜め下向き折り曲げ脚部４ｂ、斜め上向き折り曲げ脚部４ｃおよび中央部４ａからの衝撃も製品２に伝わりにくくなる。
【００３５】
さらに、緩衝材４は、使用時に１枚のシートを折り曲げることで構成でき、別に包装袋３を設けるだけであるので、構造が簡単でコスト安であり、不使用時には偏平に折り畳んでおけるので、嵩張らないとともに、緩衝材４を段ボールシートで作れば、破棄後の焼却等の処理が環境に影響を与えることもない。さらにまた、製品２は、包装袋３に収納しているので、ホコリ等が付着するおそれがない。
【００３６】
また、斜め下向き折り曲げ脚部４ｂを中央部４ａの幅方向Ｗの中間部に形成することで、製品２を中央部４ａの幅方向Ｗの中間部に位置させることができるとともに、斜め上向き折り曲げ脚部４ｃを中央部４ａの幅方向Ｗの両側部に形成することで、緩衝材４を梱包用箱１内の４隅で均等に突っ張って、製品２を中央部４ａの付近で保持できるようになる。
【００３７】
さらに、包装袋３の長さ方向Ｌの一端側のみに開口３ｂを形成しているから、折り曲げ前の斜め下向き折り曲げ脚部４ｂのフック部４ｈに、製品２を収納した包装袋３のフック穴３ｄをそれぞれ固定して、斜め下向き折り曲げ脚部４ｂを斜め下向きに折り曲げると、包装袋３が長さ方向Ｌに引っ張られることで、斜め下向き折り曲げ脚部４ｂの折り曲げ縁４ｉに包装袋３が強く押し付けられるようになる。したがって、開口３ｂから製品２を収納した包装袋３は、開口３ｂ側が折り曲げ縁４ｉに強く押し付けられて自然に密封されるので、予め密封する必要がなくなる。また、緩衝材４を梱包用箱１から取り出して斜め下向き折り曲げ脚部４ｂのフック部４ｈから包装袋３を取り外すと、開口３ｂ側の密封が自然に解除されるので、包装袋３から製品２をスムーズに取り出すことができる。
【００３８】
また、包装袋３の両端にフック穴３ｄを形成するとともに、緩衝材４の斜め下向き折り曲げ脚部４ｂに、包装袋３のフック穴３ｄを係止して固定するフック部４ｈを形成したから、包装袋３のフック穴３ｄを緩衝材４の斜め下向き折り曲げ脚部４ｂのフック部４ｈに係止するだけで、包装袋３の両端を斜め下向き折り曲げ脚部４ｂに固定できるので、固定作業が簡単になる。なお、包装袋３の両端を斜め下向き折り曲げ脚部４ｂに固定するために、フック穴３ｄとフック部４ｈに代えて、接着剤による接着で固定することもできる。
【００３９】
さらに、緩衝材４の中央部４ａに、撓み用切り込み部４ｅを形成したから、緩衝材４の中央部４ａが撓み用切り込み部４ｅによって弾力が増すので、中央部４ａからの衝撃が製品２により伝わりにくくなる。
【００４０】
また、緩衝材４の中央部４ａの幅方向の両端部に凹凸部４ｆを形成したから、梱包用箱１に幅方向Ｗの衝撃が作用しても、緩衝材４の中央部４ａの凹凸部４ｆが梱包用箱１の内面に衝突して潰れることで衝撃が弱まるので、梱包用箱１からの幅方向Ｗの衝撃が製品２に伝わりにくくなる。なお、凹凸部４ｆは、図２（ｃ）のように、中央部４ａの幅方向Ｗの両端部から外方に突出する形状のものが好ましい。このようにすれば、凹凸部４ｆが梱包用箱１の内面に衝突して潰れ易いので衝撃がより弱まるようになる。
【００４１】
前記実施形態において、製品２を直方体形状に描いているが、外形状が近似していれば、図３（ｂ）のように、凹凸や傾斜等を有るものであっても差し支えない。要するに、包装袋３内に収納できるものであれば、どのような外形状であっても良い。
【図面の簡単な説明】
【００４２】
【図１】本発明の実施形態に係る緩衝材と包装袋の展開状態の斜視図である。
【図２】（ａ）は包装袋の平面図、（ｂ）は緩衝材の展開状態の平面図、（ｃ）は緩衝材の凹凸部の変形例の要部平面図である。
【図３】（ａ）は緩衝材の各折り曲げ脚部を折り曲げた状態の斜視図、（ｂ）は緩衝材を梱包用箱内に嵌め込んだ側面断面図である。
【図４】梱包用箱の斜視図である。
【符号の説明】
【００４３】
１    梱包用箱
１ｃ  下隅部
１ｄ  上隅部
２    製品
３    包装袋
３ｂ  開口
３ｄ  フック穴
４    緩衝材
４ａ  中央部
４ｂ  斜め下向き折り曲げ脚部
４ｃ  斜め上向き折り曲げ脚部
４ｅ  撓み用切り込み部
４ｆ  凹凸部
４ｈ  フック部
Ｌ    長さ方向
Ｗ    幅方向
ａ    山折り線
ｂ    谷折り線
【図１】
0004652175.tif 000002
【図２】
0004652175.tif 000003
【図３】
0004652175.tif 000004
【図４】
0004652175.tif 000005